(57)【特許請求の範囲】
【請求項１】
通信制御方法であって、  セルラ通信及びＷＬＡＮ通信をサポートするユーザ端末が、ＷＬＡＮ測定を設定するＷＬＡＮ測定設定情報を含むＭＤＴ測定設定メッセージをセルラネットワークに含まれる基地局から受信するステップＡと、  前記ユーザ端末が、前記ＷＬＡＮ測定設定情報に基づいて、ＷＬＡＮアクセスポイントに対して前記ＷＬＡＮ測定を行うステップＢと、  前記ユーザ端末が、前記ユーザ端末の位置を示す情報要素と前記ＷＬＡＮアクセスポイントのＷＬＡＮ測定結果を示す情報要素とを含むＭＤＴ報告メッセージを前記基地局に送信するステップＣと、を備え、  前記ＷＬＡＮ測定結果は、前記ＷＬＡＮアクセスポイントの識別子と、前記ＷＬＡＮアクセスポイントの信号強度とを含み、  前記ユーザ端末は、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）をサポートし、  前記通信制御方法は、    前記ユーザ端末が、ＡＮＤＳＦサーバから、前記ＷＬＡＮアクセスポイントの地理的位置に関するアクセスポイント位置情報を含んだＡＮＤＳＦ情報を取得するステップＤと、    前記ユーザ端末が、前記基地局からの要求に応じて、前記ＡＮＤＳＦ情報に含まれる前記アクセスポイント位置情報を前記基地局に送信するステップＥと、    前記基地局が、前記ユーザ端末から送信された前記アクセスポイント位置情報を取得するステップＦと、をさらに備える通信制御方法。
【請求項２】
前記ステップＤよりも前において、前記ユーザ端末が、前記ＡＮＤＳＦをサポートする否かを示す情報、又は、前記アクセスポイント位置情報を含んだ前記ＡＮＤＳＦ情報を有しているか否かを示す情報を、前記基地局に送信するステップをさらに備える請求項１に記載の通信制御方法。
【請求項３】
前記要求を前記セルラ基地局から前記ユーザ端末に送信するステップをさらに備え、  前記セルラ基地局からの前記要求は、前記セルラ基地局のカバレッジエリア内に設けられたＷＬＡＮアクセスポイントを示す識別子を含むことを特徴とする請求項１に記載の通信制御方法。
【請求項４】
前記ＷＬＡＮ測定設定情報は、測定対象のＷＬＡＮアクセスポイントを示す識別子を含む請求項１に記載の通信制御方法。
【請求項５】
前記ステップＢにおいて、前記ユーザ端末が、前記セルラ通信のアイドル状態において前記ＷＬＡＮアクセスポイントに対して前記ＷＬＡＮ測定を行い、  前記通信制御方法は、  前記ステップＣに先立ち、前記アイドル状態にある前記ユーザ端末が、前記ＷＬＡＮ測定結果を保持するステップをさらに備え、  前記ステップＣにおいて、前記ユーザ端末は、前記セルラネットワークからの要求に応じて、前記ユーザ端末の位置を示す情報要素と前記保持されたＷＬＡＮ測定結果を示す情報要素とを含む前記ＭＤＴ報告メッセージを前記セルラネットワークに送信する請求項４に記載の通信制御方法。
【請求項６】
セルラ通信及びＷＬＡＮ通信をサポートするユーザ端末であって、  プロセッサ及びメモリを備え、  前記プロセッサは、  ＷＬＡＮ測定を設定するＷＬＡＮ測定設定情報を含むＭＤＴ測定設定メッセージをセルラネットワークに含まれる基地局から受信する処理と、  前記ＷＬＡＮ測定設定情報に基づいて、ＷＬＡＮアクセスポイントに対して前記ＷＬＡＮ測定を行う処理と、  前記ユーザ端末の位置を示す情報要素と前記ＷＬＡＮアクセスポイントのＷＬＡＮ測定結果を示す情報要素とを含むＭＤＴ報告メッセージを前記基地局に送信する処理と、を実行し、  前記ＷＬＡＮ測定結果は、前記ＷＬＡＮアクセスポイントの識別子と、前記ＷＬＡＮアクセスポイントの信号強度と含み、    前記ユーザ端末は、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）をサポートし、  前記プロセッサは    ＡＮＤＳＦサーバから、前記ＷＬＡＮアクセスポイントの地理的位置に関するアクセスポイント位置情報を含んだＡＮＤＳＦ情報を取得する処理と、    前記基地局からの要求に応じて、前記ＡＮＤＳＦ情報に含まれる前記アクセスポイント位置情報を前記基地局に送信する処理と、を更に実行するユーザ端末。
【発明の詳細な説明】
【技術分野】
【０００１】
本発明は、無線ＬＡＮシステム（ＷＬＡＮシステム）と連携可能なセルラ通信システムにおいて用いられる通信制御方法及びユーザ端末に関する。
【背景技術】
【０００２】
近年、セルラ通信及びＷＬＡＮ通信の両通信方式をサポートするユーザ端末（いわゆる、デュアル端末）の普及が進んでいる。また、セルラ通信システムのオペレータにより管理されるＷＬＡＮアクセスポイントが増加している。【０００３】
そこで、セルラ通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、セルラ通信システムとＷＬＡＮシステムとの無線アクセスネットワーク（ＲＡＮ）レベルの連携を強化できる技術が検討される予定である（非特許文献１参照）。【０００４】
一方で、ユーザ端末によるアクセスポイント発見処理を効率化するために、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）の標準化が進められている。ＡＮＤＳＦでは、コアネットワークに設けられたＡＮＤＳＦサーバが、ＮＡＳ（Ｎｏｎ  Ａｃｃｅｓｓ  Ｓｔｒａｔｕｍ）メッセージにより、ＷＬＡＮに関する情報をユーザ端末に提供する。
【先行技術文献】
【非特許文献】
【０００５】
【非特許文献１】３ＧＰＰ寄書  ＲＰ−１２０１４５５
【発明の概要】
【０００６】
ところで、セルラ通信システムとＷＬＡＮシステムとのＲＡＮレベルの連携を強化するためには、セルラ基地局がＷＬＡＮアクセスポイント（特に、自カバレッジエリア内に設けられたＷＬＡＮアクセスポイント）の地理的位置を把握していることが好ましい。
【０００７】
ここで、ＷＬＡＮアクセスポイントの地理的位置に関するアクセスポイント位置情報をセルラ基地局がＡＮＤＳＦサーバから取得することにより、セルラ基地局がＷＬＡＮアクセスポイントの地理的位置を把握できると考えられる。
【０００８】
しかしながら、ＡＮＤＳＦはＮＡＳレベルのオプション機能であって、かつセルラ基地局とＡＮＤＳＦサーバとの間にインターフェイスが存在しない可能性がある。従って、セルラ基地局がアクセスポイント位置情報をＡＮＤＳＦサーバから取得できない場合が想定される。そのような場合においては、セルラ基地局がＷＬＡＮアクセスポイントの地理的位置を把握することは困難である。
【０００９】
そこで、本発明は、セルラ基地局がアクセスポイント位置情報をＡＮＤＳＦサーバから取得できない場合でも、セルラ基地局がＷＬＡＮアクセスポイントの地理的位置を把握可能にすることを目的とする。
【００１０】
第１の特徴に係る通信制御方法は、セルラ通信及びＷＬＡＮ通信をサポートするユーザ端末が、ＷＬＡＮアクセスポイントの地理的位置に関するアクセスポイント位置情報を取得するステップＡと、前記ユーザ端末が、前記アクセスポイント位置情報をセルラネットワークに送信するステップＢと、前記セルラネットワークに含まれるセルラ基地局が、前記アクセスポイント位置情報を取得するステップＣと、を有する。
【００１１】
第２の特徴に係るユーザ端末は、セルラ通信及びＷＬＡＮ通信をサポートする。前記ユーザ端末は、ＷＬＡＮアクセスポイントの地理的位置に関するアクセスポイント位置情報を取得する制御部を備える。前記制御部は、前記アクセスポイント位置情報をセルラネットワークに送信する。
【図面の簡単な説明】
【００１２】
【図１】第１実施形態乃至第５実施形態に係るシステム構成図である。
【図２】第１実施形態乃至第５実施形態に係るＵＥ（ユーザ端末）のブロック図である。
【図３】第１実施形態乃至第５実施形態に係るｅＮＢ（セルラ基地局）のブロック図である。
【図４】第１実施形態乃至第５実施形態に係るＡＰ（アクセスポイント）のブロック図である。
【図５】ＬＴＥシステムにおける無線インターフェイスのプロトコルスタック図である。
【図６】第１実施形態乃至第５実施形態に係る動作環境を説明するための図である。
【図７】第１実施形態に係る動作シーケンス図である。
【図８】第１実施形態に係る動作シーケンス図である。
【図９】第２実施形態に係る動作シーケンス図である。
【図１０】第３実施形態に係る動作シーケンス図である。
【図１１】第４実施形態に係る動作シーケンス図である。
【図１２】第５実施形態に係る動作シーケンス図である。
【発明を実施するための形態】
【００１３】
［実施形態の概要］
第１実施形態乃至第５実施形態に係る通信制御方法は、セルラ通信及びＷＬＡＮ通信をサポートするユーザ端末が、ＷＬＡＮアクセスポイントの地理的位置に関するアクセスポイント位置情報を取得するステップＡと、前記ユーザ端末が、前記アクセスポイント位置情報をセルラネットワークに送信するステップＢと、前記セルラネットワークに含まれるセルラ基地局が、前記アクセスポイント位置情報を取得するステップＣと、を有する。
【００１４】
第１実施形態乃至第３実施形態、及び第５実施形態では、前記ステップＡにおいて、前記ＷＬＡＮアクセスポイントのカバレッジエリア内に位置する前記ユーザ端末は、前記ユーザ端末の地理的位置を示す情報を測定することにより前記アクセスポイント位置情報を取得する。
【００１５】
第１実施形態乃至第３実施形態では、前記ステップＡにおいて、前記ユーザ端末は、前記セルラネットワークから設定されるＭＤＴ関連情報に基づいて、前記アクセスポイント位置情報を取得する。
【００１６】
第１実施形態乃至第３実施形態では、前記ＭＤＴ関連情報は、前記ＷＬＡＮアクセスポイントに対する測定を要求するための情報を含む。
【００１７】
第１実施形態乃至第３実施形態では、前記ＭＤＴ関連情報は、測定対象のＷＬＡＮアクセスポイントとして、前記セルラ基地局のカバレッジエリア内に設けられたＷＬＡＮアクセスポイントを示す識別子を含む。
【００１８】
第１実施形態乃至第３実施形態では、前記ステップＡにおいて、前記ユーザ端末は、前記ＭＤＴ関連情報に基づいて、前記ＷＬＡＮアクセスポイントからの受信電力を示す受信電力情報を前記アクセスポイント位置情報と共に取得する。
【００１９】
第１実施形態では、前記ステップＡは、前記セルラ通信のアイドル状態にある前記ユーザ端末が、前記ＭＤＴ関連情報に基づいて、前記アクセスポイント位置情報を取得するステップと、前記アイドル状態にある前記ユーザ端末が、前記アクセスポイント位置情報を保持するステップと、を含む。前記ステップＢにおいて、前記ユーザ端末は、前記セルラネットワークに含まれるサーバ装置に対して、前記アクセスポイント位置情報を送信する。前記ステップＣにおいて、前記セルラ基地局は、前記サーバ装置から前記アクセスポイント位置情報を取得する。
【００２０】
第２実施形態では、前記ステップＡは、前記セルラ通信の接続状態にある前記ユーザ端末が、前記ＭＤＴ関連情報に基づいて、前記アクセスポイント位置情報を取得するステップと、前記接続状態にある前記ユーザ端末が、前記アクセスポイント位置情報を保持するステップと、を含む。
【００２１】
第２実施形態では、前記ステップＢよりも前において、前記接続状態にある前記ユーザ端末が、前記アクセスポイント位置情報を保持していることを示す通知情報を前記セルラネットワークに送信するステップをさらに有する。
【００２２】
第３実施形態では、前記ステップＡにおいて、前記セルラ通信の接続状態にある前記ユーザ端末は、前記ＭＤＴ関連情報に基づいて、前記アクセスポイント位置情報を取得する。前記ステップＢにおいて、前記ユーザ端末は、前記アクセスポイント位置情報を保持することなく前記セルラネットワークに送信する。
【００２３】
第３実施形態では、前記ＭＤＴ関連情報は、前記アクセスポイント位置情報の取得、及び／又は前記アクセスポイント位置情報の送信をトリガするためのトリガ情報を含む。
【００２４】
第２実施形態及び第３実施形態では、前記ステップＢにおいて、前記ユーザ端末は、前記アクセスポイント位置情報を前記セルラ基地局に送信する。前記ステップＣにおいて、前記セルラ基地局は、前記ユーザ端末から送信された前記アクセスポイント位置情報を取得する。
【００２５】
第２実施形態及び第３実施形態では、前記ステップＢにおいて、前記ユーザ端末は、前記セルラネットワークに含まれるサーバ装置に対して、前記アクセスポイント位置情報を送信する。前記ステップＣにおいて、前記セルラ基地局は、前記サーバ装置から前記アクセスポイント位置情報を取得する。
【００２６】
第４実施形態では、前記ステップＡにおいて、ＡＮＤＳＦをサポートする前記ユーザ端末は、ＡＮＤＳＦサーバから、前記アクセスポイント位置情報を含んだＡＮＤＳＦ情報を取得する。前記ステップＢにおいて、前記ユーザ端末は、前記セルラ基地局からの要求に応じて、前記ＡＮＤＳＦ情報に含まれる前記アクセスポイント位置情報を前記セルラ基地局に送信する。前記ステップＣにおいて、前記セルラ基地局は、前記ユーザ端末から送信された前記アクセスポイント位置情報を取得する。
【００２７】
第４実施形態では、前記通信制御方法は、前記ステップＢよりも前において、前記ユーザ端末が、前記ＡＮＤＳＦをサポートする否かを示す情報、又は、前記アクセスポイント位置情報を含んだ前記ＡＮＤＳＦ情報を有しているか否かを示す情報を、前記セルラ基地局に送信するステップをさらに有する。
【００２８】
第４実施形態では、前記通信制御方法は、前記要求を前記セルラ基地局から前記ユーザ端末に送信するステップをさらに有する。前記セルラ基地局からの前記要求は、前記セルラ基地局のカバレッジエリア内に設けられたＷＬＡＮアクセスポイントを示す識別子を含む。
【００２９】
第５実施形態では、前記ステップＡは、前記ユーザ端末が、該ユーザ端末がアクセス権を持つＷＬＡＮアクセスポイントに対応する前記アクセスポイント位置情報を取得するステップと、前記アクセスポイント位置情報を含んだリストを管理するステップと、を含む。前記ステップＢにおいて、前記ユーザ端末は、前記セルラ基地局からの要求に応じて、前記リストに含まれる前記アクセスポイント位置情報を前記セルラ基地局に送信する。
【００３０】
第５実施形態では、前記ステップＢにおいて、前記ユーザ端末は、前記リストに含まれる前記アクセスポイント位置情報を前記セルラ基地局に送信する。前記ステップＣにおいて、前記セルラ基地局は、前記ユーザ端末から送信された前記アクセスポイント位置情報を取得する。
【００３１】
第５実施形態では、前記ステップＢにおいて、前記ユーザ端末は、前記セルラネットワークに含まれるサーバ装置に対して、前記アクセスポイント位置情報を送信する。前記ステップＣにおいて、前記セルラ基地局は、前記サーバ装置から前記アクセスポイント位置情報を取得する。
【００３２】
第５実施形態では、前記通信制御方法は、前記ステップＢよりも前において、前記ユーザ端末が、前記アクセスポイント位置情報を含んだ前記リストを有しているか否かを示す情報を、前記セルラ基地局に送信するステップをさらに有する。
【００３３】
第５実施形態では、前記通信制御方法は、前記要求を前記セルラ基地局から前記ユーザ端末に送信するステップをさらに有する。前記セルラ基地局からの前記要求は、前記セルラ基地局のカバレッジエリア内に設けられたＷＬＡＮアクセスポイントを示す識別子を含む。
【００３４】
第１実施形態乃至第５実施形態に係るユーザ端末は、セルラ通信及びＷＬＡＮ通信をサポートする。前記ユーザ端末は、ＷＬＡＮアクセスポイントの地理的位置に関するアクセスポイント位置情報を取得する制御部を備える。前記制御部は、前記アクセスポイント位置情報をセルラネットワークに送信する。
【００３５】
［第１実施形態］
以下、図面を参照して、３ＧＰＰ規格に準拠して構成されるセルラ通信システム（ＬＴＥシステム）を無線ＬＡＮ（ＷＬＡＮ）システムと連携させる場合の実施形態を説明する。
【００３６】
（システム構成）
図１は、第１実施形態に係るシステム構成図である。図１に示すように、セルラ通信システムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。
【００３７】
Ｅ−ＵＴＲＡＮ１０は、無線アクセスネットワーク（ＲＡＮ）に相当する。ＥＰＣ２０は、コアネットワークに相当する。Ｅ−ＵＴＲＡＮ１０及びＥＰＣ２０は、セルラ通信システムのネットワーク（すなわち、セルラネットワーク）を構成する。
【００３８】
ＵＥ１００は、移動型の無線通信装置であり、接続を確立したセルとの無線通信を行う。ＵＥ１００はユーザ端末に相当する。ＵＥ１００は、セルラ通信及びＷＬＡＮ通信の両通信方式をサポートする端末（デュアル端末）である。
【００３９】
Ｅ−ＵＴＲＡＮ１０は、複数のｅＮＢ２００（ｅｖｏｌｖｅｄ  Ｎｏｄｅ−Ｂ）を含む。ｅＮＢ２００はセルラ基地局に相当する。ｅＮＢ２００は、１又は複数のセルを管理しており、自セルとの接続を確立したＵＥ１００との無線通信を行う。なお、「セル」は、無線通信エリアの最小単位を示す用語として使用される他に、ＵＥ１００との無線通信を行う機能を示す用語としても使用される。また、ｅＮＢ２００は、例えば、無線リソース管理（ＲＲＭ）機能と、ユーザデータのルーティング機能と、モビリティ制御及びスケジューリングのための測定制御機能と、を有する。
【００４０】
ｅＮＢ２００は、Ｘ２インターフェイスを介して相互に接続される。また、ｅＮＢ２００は、Ｓ１インターフェイスを介して、ＥＰＣ２０に含まれるＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）５００と接続される。
【００４１】
ＥＰＣ２０は、複数のＭＭＥ／Ｓ−ＧＷ５００を含む。ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００４２】
ＷＬＡＮシステムは、ＷＬＡＮアクセスポイント（以下、単に「ＡＰ」という）３００を含む。ＡＰ３００は、セルラ通信システムのオペレータにより管理されるＡＰ（Ｏｐｅｒａｔｏｒ  ｃｏｎｔｒｏｌｌｅｄ  ＡＰ）である。
【００４３】
ＷＬＡＮシステムは、例えばＩＥＥＥ  ８０２．１１諸規格に準拠して構成される。ＡＰ３００は、セルラ周波数帯とは異なる周波数帯（ＷＬＡＮ周波数帯）でＵＥ１００との通信を行う。ＡＰ３００は、ルータなどを介してＥＰＣ２０に接続される。
【００４４】
また、ｅＮＢ２００及びＡＰ３００が個別に配置される場合に限らず、ｅＮＢ２００及びＡＰ３００が同じ場所に配置（Ｃｏｌｌｏｃａｔｅｄ）されていてもよい。Ｃｏｌｌｏｃａｔｅｄの一形態として、ｅＮＢ２００及びＡＰ３００がオペレータの任意のインターフェイスで直接的に接続されていてもよい。
【００４５】
ＥＰＣ２０は、ＯＡＭ（Ｏｐｅｒａｔｉｏｎ  ａｎｄ  Ｍａｉｎｔｅｎａｎｃｅ）サーバ６００をさらに含む。ＯＡＭサーバ６００は、セルラネットワークの保守及び運用のためのサーバ装置である。
【００４６】
ＥＰＣ２０は、ＡＮＤＳＦサーバ７００をさらに含む。ＡＮＤＳＦサーバ７００は、ＷＬＡＮに関するＡＮＤＳＦ情報を管理する。ＡＮＤＳＦサーバ７００は、ＮＡＳメッセージにより、ＷＬＡＮに関するＡＮＤＳＦ情報をＵＥ１００に提供する。第１実施形態（及び後述する第２実施形態、第３実施形態、第５実施形態）では、ＡＮＤＳＦサーバ７００は必ずしも設けられていなくてもよい。
【００４７】
次に、ＵＥ１００、ｅＮＢ２００、及びＡＰ３００の構成を説明する。
【００４８】
図２は、ＵＥ１００のブロック図である。図２に示すように、ＵＥ１００は、アンテナ１０１及び１０２と、セルラ通信部１１１と、ＷＬＡＮ通信部１１２と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４９】
アンテナ１０１及びセルラ通信部１１１は、セルラ無線信号の送受信に用いられる。セルラ通信部１１１は、プロセッサ１６０が出力するベースバンド信号をセルラ無線信号に変換してアンテナ１０１から送信する。また、セルラ通信部１１１は、アンテナ１０１が受信するセルラ無線信号をベースバンド信号に変換してプロセッサ１６０に出力する。
【００５０】
アンテナ１０２及びＷＬＡＮ通信部１１２は、ＷＬＡＮ無線信号の送受信に用いられる。ＷＬＡＮ通信部１１２は、プロセッサ１６０が出力するベースバンド信号をＷＬＡＮ無線信号に変換してアンテナ１０２から送信する。また、ＷＬＡＮ通信部１１２は、アンテナ１０２が受信するＷＬＡＮ無線信号をベースバンド信号に変換してプロセッサ１６０に出力する。
【００５１】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの入力を受け付けて、該入力の内容を示す信号をプロセッサ１６０に出力する。ＧＮＳＳ受信機１３０は、ＵＥ１００の地理的位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００５２】
メモリ１５０は、プロセッサ１６０によって実行されるプログラムと、プロセッサ１６０による処理に使用される情報と、を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵと、を含む。プロセッサ１６０は、さらに、音声・映像信号の符号化・復号を行うコーデックを含んでもよい。プロセッサ１６０は、後述する各種の処理及び各種の通信プロトコルを実行する。
【００５３】
図３は、ｅＮＢ２００のブロック図である。図３に示すように、ｅＮＢ２００は、アンテナ２０１と、セルラ通信部２１０と、ネットワークインターフェイス２２０と、メモリ２３０と、プロセッサ２４０と、を有する。メモリ２３０及びプロセッサ２４０は、制御部を構成する。
【００５４】
アンテナ２０１及びセルラ通信部２１０は、セルラ無線信号の送受信に用いられる。セルラ通信部２１０は、プロセッサ２４０が出力するベースバンド信号をセルラ無線信号に変換してアンテナ２０１から送信する。また、セルラ通信部２１０は、アンテナ２０１が受信するセルラ無線信号をベースバンド信号に変換してプロセッサ２４０に出力する。
【００５５】
ネットワークインターフェイス２２０は、Ｘ２インターフェイスを介して隣接ｅＮＢ２００と接続され、Ｓ１インターフェイスを介してＭＭＥ／Ｓ−ＧＷ５００と接続される。また、ネットワークインターフェイス２２０は、ＥＰＣ２０を介したＡＰ３００との通信に使用される。
【００５６】
メモリ２３０は、プロセッサ２４０によって実行されるプログラムと、プロセッサ２４０による処理に使用される情報と、を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００５７】
図４は、ＡＰ３００のブロック図である。図４に示すように、ＡＰ３００は、アンテナ３０１と、ＷＬＡＮ通信部３１１と、ネットワークインターフェイス３２０と、メモリ３３０と、プロセッサ３４０と、を有する。
【００５８】
アンテナ３０１及びＷＬＡＮ通信部３１１は、ＷＬＡＮ無線信号の送受信に用いられる。ＷＬＡＮ通信部３１１は、プロセッサ３４０が出力するベースバンド信号をＷＬＡＮ無線信号に変換してアンテナ３０１から送信する。また、ＷＬＡＮ通信部３１１は、アンテナ３０１が受信するＷＬＡＮ無線信号をベースバンド信号に変換してプロセッサ３４０に出力する。
【００５９】
ネットワークインターフェイス３２０は、ルータなどを介してＥＰＣ２０と接続される。また、ネットワークインターフェイス３２０は、ＥＰＣ２０を介したｅＮＢ２００との通信に使用される。
【００６０】
メモリ３３０は、プロセッサ３４０によって実行されるプログラムと、プロセッサ３４０による処理に使用される情報と、を記憶する。プロセッサ３４０は、ベースバンド信号の変調・復調及び符号化・復号などを行うベースバンドプロセッサと、メモリ３３０に記憶されるプログラムを実行して各種の処理を行うＣＰＵと、を含む。
【００６１】
図５は、セルラ通信システムにおける無線インターフェイスのプロトコルスタック図である。図５に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉｕｍ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００６２】
物理レイヤは、符号化・復号、変調・復調、アンテナマッピング・デマッピング、及びリソースマッピング・デマッピングを行う。ＵＥ１００の物理レイヤとｅＮＢ２００の物理レイヤとの間では、物理チャネルを介してデータが伝送される。
【００６３】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割当リソースブロックを選択するスケジューラを含む。
【００６４】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００６５】
ＰＤＣＰレイヤは、ヘッダ圧縮・伸張、及び暗号化・復号化を行う。
【００６６】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はセルラ通信の接続状態（ＲＲＣ  ｃｏｎｎｅｃｔｅｄ  ｍｏｄｅ）であり、そうでない場合、ＵＥ１００はセルラ通信のアイドル状態（ＲＲＣ  ｉｄｌｅ  ｍｏｄｅ）である。
【００６７】
ＲＲＣレイヤの上位に位置するＮＡＳレイヤは、セッション管理及びモビリティ管理などを行う。ＭＭＥ３００及びＡＮＤＳＦサーバ７００は、ＮＡＳメッセージをＵＥ１００と送受信する。
【００６８】
（第１実施形態に係る動作）
以下において、第１実施形態に係る動作について説明する。
【００６９】
（１）動作環境
図６は、第１実施形態に係る動作環境を説明するための図である。図６に示すように、ｅＮＢ２００のカバレッジエリア内に複数のＡＰ３００が設けられている。ＡＰ３００は、オペレータにより管理されるＡＰ（Ｏｐｅｒａｔｏｒ  ｃｏｎｔｒｏｌｌｅｄ  ＡＰ）である。
【００７０】
また、ｅＮＢ２００のカバレッジエリア内であって、かつＡＰ３００のカバレッジエリア内に複数のＵＥ１００が位置している。ＵＥ１００は、ｅＮＢ２００との接続を確立しており、ｅＮＢ２００とのセルラ通信を行っている。具体的には、ＵＥ１００は、トラフィック（ユーザデータ）を含んだセルラ無線信号をｅＮＢ２００と送受信している。或いは、一部のＵＥ１００は、ｅＮＢ２００との接続を確立していなくてもよい。
【００７１】
ここで、セルラ通信システムとＷＬＡＮシステムとのＲＡＮレベルの連携を強化するためには、ｅＮＢ２００がＡＰ３００（特に、自カバレッジエリア内に設けられたＡＰ３００）の地理的位置を把握していることが好ましい。
【００７２】
しかしながら、上述したように、ｅＮＢ２００がＡＰ位置情報をＡＮＤＳＦサーバ７００から取得できない場合が想定される。そのような場合においては、ｅＮＢ２００がＡＰ３００の地理的位置を把握することは困難である。
【００７３】
そこで、第１実施形態では、ｅＮＢ２００がＡＰ位置情報をＡＮＤＳＦサーバ７００から取得できない場合でも、「Ｌｏｇｇｅｄ  ＭＤＴ  ｉｎ  Ｉｄｌｅ」の機能を拡張して、ｅＮＢ２００がＡＰ３００の地理的位置を把握可能にする。
【００７４】
（２）Ｌｏｇｇｅｄ  ＭＤＴ  ｉｎ  Ｉｄｌｅ
ＭＤＴ（Ｍｉｎｉｍｉｚａｔｉｏｎ  ｏｆ  Ｄｒｉｖｅ  Ｔｅｓｔｓ）では、ＵＥ１００は、無線環境を測定（ＭＤＴ測定）し、測定結果を自身の位置情報と共にセルラネットワーク側に報告する。
【００７５】
ここでは、一般的なＬｏｇｇｅｄ  ＭＤＴ（Ｌｏｇｇｅｄ  ＭＤＴ  ｉｎ  Ｉｄｌｅ）について説明する。Ｌｏｇｇｅｄ  ＭＤＴは、ＭＤＴ測定設定（Ｍｅｓｕｒｅｍｅｎｔ  ｃｏｎｆｉｇｕｒａｔｉｏｎ）、ＭＤＴ測定（Ｍｅａｓｕｒｅｍｅｎｔ  ｃｏｌｌｅｃｔｉｏｎ）、及び測定結果報告（Ｍｅａｓｕｒｅｍｅｎｔ  ｒｅｐｏｒｔｉｎｇ）の各処理を含む。
【００７６】
第１に、ＭＤＴ測定設定では、接続状態にあるＵＥ１００は、セルラネットワークからＭＤＴ設定メッセージ（Ｌｏｇｇｅｄ  Ｍｅａｓｕｒｅｍｅｎｔ  Ｃｏｎｆｉｇｕｒａｔｉｏｎメッセージ）を受信し、ＭＤＴ設定メッセージに含まれる各種のＭＤＴ設定パラメータを記憶する。ＭＤＴ設定パラメータは、ロギングイベント、ロギング期間、ネットワーク絶対時間などを含む。ここでロギングとは、無線環境を測定して測定結果を記憶する一連の動作を意味する。
【００７７】
また、ロギングイベントとは、ロギングを行うべきイベントである。現状、周期的なロギングが規定されており、ロギング周期が指定される。ロギング期間とは、ロギングを行うべき期間であって、ＭＤＴ測定設定が行われてからＭＤＴ測定を終了するまでの期間が指定される。ネットワーク絶対時間は、無線環境の測定結果（以下、単に「測定結果」という）に付加するタイムスタンプの基準となる時間である。
【００７８】
第２に、ＭＤＴ測定では、アイドル状態にあるＵＥ１００は、ＭＤＴ設定パラメータ（Ｃｏｎｆｉｇｕｒａｔｉｏｎ）に従ってロギングを行う。具体的には、ＵＥ１００は、ロギングイベントに対応するイベントが発生した際に、サービングセル（及び隣接セル）について無線環境を測定する。無線環境とは、例えば参照信号受信電力（ＲＳＲＰ）及び参照信号受信品質（ＲＳＲＱ）である。
【００７９】
ＵＥ１００は、測定結果を位置情報及びタイムスタンプと共に記憶する。測定結果、位置情報、及びタイムスタンプの組み合わせは「測定ログ」と称される。ＵＥ１００は、ロギング期間が満了すると、ＭＤＴ測定を終了し、測定結果（測定ログ）を保持すべき期間（仕様上、４８時間）を規定するタイマを起動する。
【００８０】
第３に、測定結果報告では、ＵＥ１００は、アイドル状態から接続状態に遷移する際又はハンドオーバの際などにおいて、測定結果を保持していることを示す通知情報（仕様上、「Ａｖａｉｌａｂｉｌｉｔｙインジケータ」と称される）をＵＥ１００からセルラネットワークに送信する。
【００８１】
セルラネットワークは、Ａｖａｉｌａｂｉｌｉｔｙインジケータに基づいて、測定結果の送信（報告）をＵＥ１００に要求する。ＵＥ１００は、セルラネットワークからの要求に応じて、測定結果（測定ログ）をセルラネットワークに送信する。セルラネットワークは、ＵＥ１００からの測定結果（測定ログ）に基づいて、カバレッジ問題を解消するなどのネットワーク最適化を行う。
【００８２】
（３）第１実施形態に係る動作シーケンス
第１実施形態では、上述したように、Ｌｏｇｇｅｄ  ＭＤＴ（Ｌｏｇｇｅｄ  ＭＤＴ  ｉｎ  Ｉｄｌｅ）の機能を拡張して、ｅＮＢ２００がＡＰ３００の地理的位置を把握可能にする。図７及び図８は、第１実施形態に係る動作シーケンス図である。
【００８３】
図７に示すように、ステップＳ１０１において、ＯＡＭサーバ６００は、Ｅ−ＵＴＲＡＮ１０に含まれるｅＮＢ２００に対して、Ｌｏｇｇｅｄ  ＭＤＴ  ｉｎ  Ｉｄｌｅの実施を要求する。但し、ステップＳ１０１は省略してもよい。
【００８４】
ステップＳ１０２において、ｅＮＢ２００は、接続状態にあるＵＥ１００に対して、Ｌｏｇｇｅｄ  Ｍｅａｓｕｒｅｍｅｎｔ  Ｃｏｎｆｉｇｕｒａｔｉｏｎメッセージを送信する。第１実施形態では、Ｌｏｇｇｅｄ  Ｍｅａｓｕｒｅｍｅｎｔ  Ｃｏｎｆｉｇｕｒａｔｉｏｎメッセージは、ＭＤＴ関連情報に相当する。
【００８５】
Ｌｏｇｇｅｄ  Ｍｅａｓｕｒｅｍｅｎｔ  Ｃｏｎｆｉｇｕｒａｔｉｏｎメッセージは、上述したＭＤＴ設定パラメータに加えて、ＡＰ３００に対する測定を要求するための情報（以下、「ＡＰ測定要求」という）を含んでもよい。また、Ｌｏｇｇｅｄ  Ｍｅａｓｕｒｅｍｅｎｔ  Ｃｏｎｆｉｇｕｒａｔｉｏｎメッセージは、測定対象のＡＰ３００として、ｅＮＢ２００のカバレッジエリア内に設けられたＡＰ３００を示す識別子（以下、「ＡＰ識別子」という）を含んでもよい。ＡＰ識別子とは、ＳＳＩＤ（Ｓｅｒｖｉｃｅ  Ｓｅｔ  Ｉｄｅｎｔｉｆｉｅｒ）又はＢＳＳＩＤ（Ｂａｓｉｃ  Ｓｅｒｖｉｃｅ  Ｓｅｔ  Ｉｄｅｎｔｉｆｉｅｒ）である。ＵＥ１００は、Ｌｏｇｇｅｄ  Ｍｅａｓｕｒｅｍｅｎｔ  Ｃｏｎｆｉｇｕｒａｔｉｏｎメッセージに含まれるＭＤＴ設定パラメータを記憶する。さらに、ｅＮＢ２００はＵＥ１００に対して、Ｌｏｇｇｅｄ  Ｍｅａｓｕｒｅｍｅｎｔ  Ｃｏｎｆｉｇｕｒａｔｉｏｎメッセージと共に、ＧＮＳＳ受信機１３０による詳細位置情報を含めるよう要求するための情報を送信してもよい。
【００８６】
ステップＳ１０３において、接続状態からアイドル状態に遷移したＵＥ１００は、ＭＤＴ設定パラメータに従ってロギングを行う。第１実施形態では、ＵＥ１００は、セルラ通信のサービングセル（及び隣接セル）に対するロギングに加えて、又はセルラ通信のサービングセル（及び隣接セル）に対するロギングに代えて、ＡＰ３００に対するロギングを行う。ここで、ＵＥ１００は、ＡＰ測定要求がＭＤＴ設定パラメータに含まれていなくても、ＷＬＡＮ通信部１１２がオン状態であれば、自律的にＡＰ３００に対するロギングを行ってもよい。
【００８７】
ＡＰ３００に対するロギングでは、ＵＥ１００は、測定可能なＡＰ３００について無線環境を測定する。ＡＰ３００についての無線環境とは、例えばＡＰ３００から受信するＷＬＡＮ無線信号（例えばビーコン信号）の受信電力である。ＵＥ１００は、ＡＰ３００についての測定結果（以下、「ＡＰ測定結果」という）を位置情報及びタイムスタンプと共に記憶する。ＡＰ測定結果は、ＡＰ識別子を含む。第１実施形態では、ＡＰ測定結果、位置情報、及びタイムスタンプの組み合わせを「ＡＰ情報」という。また、ＡＰ測定結果と対応する位置情報を「ＡＰ位置情報」という。
【００８８】
ステップＳ１０４において、ＵＥ１００は、アイドル状態から接続状態に遷移する際又はハンドオーバの際などにおいて、測定結果を保持していることを示すＡｖａｉｌａｂｉｌｉｔｙインジケータを、Ｅ−ＵＴＲＡＮ１０に含まれるｅＮＢ２００に送信する。
【００８９】
ステップＳ１０５において、Ａｖａｉｌａｂｉｌｉｔｙインジケータを受信したｅＮＢ２００は、測定結果の送信（報告）をＵＥ１００に要求する。
【００９０】
ステップＳ１０６及びＳ１０７において、ＵＥ１００は、ｅＮＢ２００からの要求に応じて、保持している測定結果（ＡＰ情報を含む）を、ｅＮＢ２００を介してＯＡＭサーバ６００に送信する。
【００９１】
ＯＡＭサーバ６００は、ＵＥ１００からの測定結果（ＡＰ情報を含む）を取得する。第１実施形態では、ＯＡＭサーバ６００は、ＡＰ情報に含まれるＡＰ測定結果及び位置情報に基づいて、ＡＰ３００ごとに位置情報（ＡＰ位置情報）を管理する。尚、ＯＡＭサーバ６００は、セルラ測定結果及びＡＰ測定結果に基づいて、ＡＰ３００の位置情報を、そのＡＰ３００を含むカバレッジエリア（セル）と対応付けて管理してもよい。ＯＡＭサーバ６００は、ＡＰ位置情報をｅＮＢ２００に提供する。
【００９２】
図８に示すように、ステップＳ１５１において、ｅＮＢ２００は、ＡＰ位置情報を提供するようＯＡＭサーバ６００に要求する。但し、ステップＳ１５１は省略してもよい。
【００９３】
ステップＳ１５２において、ＯＡＭサーバ６００は、ＡＰ位置情報をｅＮＢ２００に送信する。例えば、ＯＡＭサーバ６００は、ｅＮＢ２００のカバレッジエリア（セル）内に設けられたＡＰ３００の位置情報をｅＮＢ２００に送信する。このようにして、ｅＮＢ２００は、ＯＡＭサーバ６００からＡＰ位置情報を取得する。
【００９４】
（第１実施形態のまとめ）
第１実施形態では、アイドル状態にあるＵＥ１００は、ＡＰ位置情報を取得し、ＡＰ位置情報を保持する。そして、ＵＥ１００は、セルラネットワークに含まれるＯＡＭサーバ６００に対して、ＡＰ位置情報を送信する。ｅＮＢ２００は、ＯＡＭサーバ６００からＡＰ位置情報を取得する。従って、ＡＮＤＳＦサーバ７００が存在しない場合、又はＡＮＤＳＦサーバ７００とｅＮＢ２００との間にインターフェイスが存在しない場合でも、「Ｌｏｇｇｅｄ  ＭＤＴ  ｉｎ  Ｉｄｌｅ」の機能を拡張することにより、ｅＮＢ２００がＡＰ３００の地理的位置を把握できる。
【００９５】
［第２実施形態］
第２実施形態について、上述した第１実施形態との相違点を主として説明する。第２実施形態では、「Ｌｏｇｇｅｄ  ＭＤＴ  ｉｎ  Ｃｏｎｎｅｃｔｅｄ」により、ｅＮＢ２００がＡＰ３００の地理的位置を把握可能にする。尚、第２実施形態は、システム構成及び動作環境については第１実施形態と同様である。
【００９６】
（第２実施形態に係る動作）
以下において、第２実施形態に係る動作について説明する。
【００９７】
（１）Ｌｏｇｇｅｄ  ＭＤＴ  ｉｎ  Ｃｏｎｎｅｃｔｅｄ
Ｌｏｇｇｅｄ  ＭＤＴ  ｉｎ  Ｃｏｎｎｅｃｔｅｄは、Ｌｏｇｇｅｄ  ＭＤＴの一種であって、接続状態のＵＥ１００によりＭＤＴ測定が行われる。ここでは、Ｌｏｇｇｅｄ  ＭＤＴ  ｉｎ  Ｃｏｎｎｅｃｔｅｄについて、Ｌｏｇｇｅｄ  ＭＤＴ  ｉｎ  Ｉｄｌｅとの相違点を主として説明する。
【００９８】
第１に、ＭＤＴ測定設定では、接続状態にあるＵＥ１００は、セルラネットワークからＭＤＴ設定メッセージ（Ｃｏｎｎｅｃｔｅｄ  ＭＤＴ  Ｃｏｎｆｉｇｕｒａｔｉｏｎメッセージ）を受信し、ＭＤＴ設定メッセージに含まれる各種のＭＤＴ設定パラメータを記憶する。
【００９９】
第２に、ＭＤＴ測定では、接続状態にあるＵＥ１００は、ＭＤＴ設定パラメータ（Ｃｏｎｆｉｇｕｒａｔｉｏｎ）に従ってロギングを行う。
【０１００】
第３に、測定結果報告では、ＵＥ１００は、ｅＮＢ２００からの要求に応じて、測定結果（測定ログ）をセルラネットワークに送信する。セルラネットワークは、ＵＥ１００からの測定結果（測定ログ）に基づいて、カバレッジ問題を解消するなどのネットワーク最適化を行う。
【０１０１】
（２）第２実施形態に係る動作シーケンス
第２実施形態では、上述したように、Ｌｏｇｇｅｄ  ＭＤＴ  ｉｎ  Ｃｏｎｎｅｃｔｅｄにより、ｅＮＢ２００がＡＰ３００の地理的位置を把握可能にする。図９は、第２実施形態に係る動作シーケンス図である。
【０１０２】
図９に示すように、ステップＳ２０１において、ｅＮＢ２００は、接続状態にあるＵＥ１００に対して、Ｃｏｎｎｅｃｔｅｄ  ＭＤＴ  Ｃｏｎｆｉｇｕｒａｔｉｏｎメッセージを送信する。第２実施形態では、Ｃｏｎｎｅｃｔｅｄ  ＭＤＴ  Ｃｏｎｆｉｇｕｒａｔｉｏｎメッセージは、ＭＤＴ関連情報に相当する。
【０１０３】
Ｃｏｎｎｅｃｔｅｄ  ＭＤＴ  Ｃｏｎｆｉｇｕｒａｔｉｏｎメッセージは、上述したＭＤＴ設定パラメータに加えて、ＡＰ３００に対する測定を要求するための情報（ＡＰ測定要求）を含んでもよい。また、Ｃｏｎｎｅｃｔｅｄ  ＭＤＴ  Ｃｏｎｆｉｇｕｒａｔｉｏｎメッセージは、測定対象のＡＰ３００として、ｅＮＢ２００のカバレッジエリア内に設けられたＡＰ３００を示す識別子（ＡＰ識別子）を含んでもよい。ＵＥ１００は、Ｃｏｎｎｅｃｔｅｄ  ＭＤＴ  Ｃｏｎｆｉｇｕｒａｔｉｏｎメッセージに含まれるＭＤＴ設定パラメータを記憶する。
【０１０４】
尚、第２実施形態では、Ｃｏｎｎｅｃｔｅｄ  ＭＤＴ  Ｃｏｎｆｉｇｕｒａｔｉｏｎメッセージは、ＷＬＡＮ通信部１１２をオン状態にするよう要求するための情報（以下、「ＷＬＡＮオン要求」という）を含んでもよい。さらに、Ｃｏｎｎｅｃｔｅｄ  ＭＤＴ  Ｃｏｎｆｉｇｕｒａｔｉｏｎメッセージは、ＧＮＳＳ受信機１３０による詳細位置情報を含めるよう要求するための情報を含んでもよい。或いは、ｅＮＢ２００はＵＥ１００に対して、Ｃｏｎｎｅｃｔｅｄ  ＭＤＴ  Ｃｏｎｆｉｇｕｒａｔｉｏｎメッセージと共に、ＧＮＳＳ受信機１３０による詳細位置情報を含めるよう要求するための情報を送信してもよい。
【０１０５】
ステップＳ２０２において、接続状態にあるＵＥ１００は、ＭＤＴ設定パラメータに従ってロギングを行う。第２実施形態では、ＵＥ１００は、セルラ通信のサービングセル（及び隣接セル）に対するロギングに加えて、又はセルラ通信のサービングセル（及び隣接セル）に対するロギングに代えて、ＡＰ３００に対するロギングを行う。
【０１０６】
ＵＥ１００は、ＡＰ測定要求がＭＤＴ設定パラメータに含まれていなくても、ＷＬＡＮ通信部１１２がオン状態であれば、自律的にＡＰ３００に対するロギングを行ってもよい。また、ＵＥ１００は、ＡＰ識別子がＭＤＴ設定パラメータに含まれている場合には、そのＡＰ識別子を対象としてロギングを行ってもよい。さらに、ＵＥ１００は、ＷＬＡＮ通信部１１２がオフ状態である場合で、ＡＰ識別子がＭＤＴ設定パラメータに含まれている場合には、明示的に「ＷＬＡＮオン」が要求されていなくても、自律的にＷＬＡＮ通信部１１２をオン状態に切り替えてもよい。
【０１０７】
ＡＰ３００に対するロギングでは、ＵＥ１００は、測定可能なＡＰ３００について無線環境を測定する。ＡＰ３００についての無線環境とは、例えばＡＰ３００から受信するＷＬＡＮ無線信号（例えばビーコン信号）の受信電力である。ＵＥ１００は、ＡＰ３００についての測定結果（ＡＰ測定結果）を位置情報及びタイムスタンプと共に記憶する。ＡＰ測定結果は、ＡＰ識別子を含む。第２実施形態では、ＡＰ測定結果、位置情報、及びタイムスタンプの組み合わせを「ＡＰ情報」という。また、ＡＰ測定結果と対応する位置情報を「ＡＰ位置情報」という。
【０１０８】
ステップＳ２０３において、ｅＮＢ２００は、測定結果の送信（報告）をＵＥ１００に要求する。例えば、ｅＮＢ２００は、ＵＥ１００との接続を切断すると判断した場合で、ＵＥ１００との接続を切断する処理を行う前に、測定結果の送信（報告）をＵＥ１００に要求する。
【０１０９】
ステップＳ２０４において、ＵＥ１００は、ｅＮＢ２００からの要求に応じて、保持している測定結果（ＡＰ情報を含む）を、ｅＮＢ２００に送信する。ｅＮＢ２００は、ＵＥ１００からの測定結果（ＡＰ情報を含む）を受信する。
【０１１０】
（第２実施形態のまとめ）
第２実施形態では、接続状態にあるＵＥ１００は、ＡＰ位置情報を取得し、ＡＰ位置情報を保持する。そして、ＵＥ１００は、ＡＰ位置情報をｅＮＢ２００に送信する。ｅＮＢ２００は、ＵＥ１００から送信されたＡＰ位置情報を取得する。従って、ＡＮＤＳＦサーバ７００が存在しない場合、又はＡＮＤＳＦサーバ７００とｅＮＢ２００との間にインターフェイスが存在しない場合でも、Ｌｏｇｇｅｄ  ＭＤＴ  ｉｎ  Ｃｏｎｎｅｃｔｅｄにより、ｅＮＢ２００がＡＰ３００の地理的位置を把握できる。
【０１１１】
［第２実施形態の変更例１］
上述した第２実施形態では、ｅＮＢ２００は、ＵＥ１００から直接的にＡＰ情報（ＡＰ位置情報を含む）を取得していたが、上述した第１実施形態と同様に、ＯＡＭサーバ６００からｅＮＢ２００にＡＰ情報を提供してもよい。具体的には、ＵＥ１００は、ＯＡＭサーバ６００に対して、ＡＰ情報を送信する。ｅＮＢ２００は、ＯＡＭサーバ６００からＡＰ情報を取得する。
【０１１２】
［第２実施形態の変更例２］
上述した第２実施形態では、ステップＳ２０３においてｅＮＢ２００は、測定結果の送信（報告）をＵＥ１００に要求していた。しかしながら、ステップＳ２０３での要求を行なわずに、ＵＥ１００は、例えば測定していたＡＰ３００からの受信電力が閾値以下になった場合に、測定結果を送信する、又はＡｖａｉｌａｂｉｌｉｔｙインジケータを送信してもよい。
【０１１３】
［第３実施形態］
第３実施形態について、上述した第１実施形態との相違点を主として説明する。第３実施形態では、「Ｉｍｍｅｄｉａｔｅ  ＭＤＴ」の機能を拡張して、ｅＮＢ２００がＡＰ３００の地理的位置を把握可能にする。尚、第３実施形態は、システム構成及び動作環境については第１実施形態と同様である。
【０１１４】
（第３実施形態に係る動作）
以下において、第３実施形態に係る動作について説明する。
【０１１５】
（１）Ｉｍｍｅｄｉａｔｅ  ＭＤＴ
ここでは、一般的なＩｍｍｅｄｉａｔｅ  ＭＤＴについて説明する。Ｉｍｍｅｄｉａｔｅ  ＭＤＴは、ＭＤＴの一種であって、モビリティ制御のための測定報告に位置情報を付加することにより行われる。すなわち、Ｉｍｍｅｄｉａｔｅ  ＭＤＴでは、ＵＥ１００は、測定結果を報告可能になるまで保持するのではなく、測定結果を即座にｅＮＢ２００に報告する。
【０１１６】
第１に、接続状態にあるＵＥ１００は、セルラネットワークから測定設定メッセージ（Ｍｅａｓｕｒｅｍｅｎｔ  Ｃｏｎｆｉｇｕｒａｔｉｏｎメッセージ）を受信し、測定設定メッセージに含まれる各種の測定設定パラメータを記憶する。測定パラメータは、測定報告を送信するトリガである報告トリガを含む。Ｉｍｍｅｄｉａｔｅ  ＭＤＴでは、Ｍｅａｓｕｒｅｍｅｎｔ  Ｃｏｎｆｉｇｕｒａｔｉｏｎメッセージは、位置情報を含めるよう要求するための情報（仕様上、「Ｉｎｃｌｕｄｅ  Ｌｏｃａｔｉｏｎ  Ｉｎｆｏ」と称される）を含む。
【０１１７】
第２に、接続状態にあるＵＥ１００は、サービングセル（及び隣接セル）について無線環境を測定する。無線環境とは、例えば参照信号受信電力（ＲＳＲＰ）及び参照信号受信品質（ＲＳＲＱ）である。また、ＵＥ１００は、位置情報を取得する。
【０１１８】
第３に、ＵＥ１００は、報告トリガに対応するイベントが発生した際に、測定結果及び位置情報を含んだ測定報告をｅＮＢ２００に送信する。
【０１１９】
（２）第３実施形態に係る動作シーケンス
第３実施形態では、上述したように、Ｉｍｍｅｄｉａｔｅ  ＭＤＴの機能を拡張して、ｅＮＢ２００がＡＰ３００の地理的位置を把握可能にする。図１０は、第３実施形態に係る動作シーケンス図である。
【０１２０】
図１０に示すように、ステップＳ３０１において、ｅＮＢ２００は、接続状態にあるＵＥ１００に対して、「Ｉｎｃｌｕｄｅ  Ｌｏｃａｔｉｏｎ  Ｉｎｆｏ」を含んだＭｅａｓｕｒｅｍｅｎｔ  Ｃｏｎｆｉｇｕｒａｔｉｏｎメッセージを送信する。第２実施形態では、「Ｉｎｃｌｕｄｅ  Ｌｏｃａｔｉｏｎ  Ｉｎｆｏ」を含んだＭｅａｓｕｒｅｍｅｎｔ  Ｃｏｎｆｉｇｕｒａｔｉｏｎメッセージは、ＭＤＴ関連情報に相当する。
【０１２１】
第３実施形態では、Ｍｅａｓｕｒｅｍｅｎｔ  Ｃｏｎｆｉｇｕｒａｔｉｏｎメッセージに含まれる報告トリガは、ＡＰ３００の無線環境に関するイベントを規定したトリガタイプである。例えば、報告トリガは、「ＡＰ３００の方がサービングセルよりも無線環境が良好」というトリガタイプであってもよい。或いは、Ｍｅａｓｕｒｅｍｅｎｔ  Ｃｏｎｆｉｇｕｒａｔｉｏｎメッセージは、ＡＰ位置情報の取得、及び／又はＡＰ位置情報の送信をトリガするためのトリガ情報を含んでもよい。
【０１２２】
また、Ｍｅａｓｕｒｅｍｅｎｔ  Ｃｏｎｆｉｇｕｒａｔｉｏｎメッセージは、測定対象のＡＰ３００として、ｅＮＢ２００のカバレッジエリア内に設けられたＡＰ３００を示す識別子（ＡＰ識別子）を含んでもよい。
【０１２３】
尚、第３実施形態では、Ｍｅａｓｕｒｅｍｅｎｔ  Ｃｏｎｆｉｇｕｒａｔｉｏｎメッセージは、ＷＬＡＮ通信部１１２をオン状態にするよう要求するための情報（ＷＬＡＮオン要求）を含んでもよい。さらに、Ｍｅａｓｕｒｅｍｅｎｔ  Ｃｏｎｆｉｇｕｒａｔｉｏｎメッセージは、ＧＮＳＳ受信機１３０による詳細位置情報を含めるよう要求するための情報を含んでもよい。
【０１２４】
ステップＳ３０２において、接続状態にあるＵＥ１００は、Ｍｅａｓｕｒｅｍｅｎｔ  Ｃｏｎｆｉｇｕｒａｔｉｏｎメッセージに従って測定を行う。第３実施形態では、ＵＥ１００は、セルラ通信のサービングセル（及び隣接セル）に対する測定に加えて、又はセルラ通信のサービングセル（及び隣接セル）に対する測定に代えて、ＡＰ３００に対する測定を行う。
【０１２５】
ＵＥ１００は、ＷＬＡＮ通信部１１２がオフ状態である場合で、ＡＰ識別子がＭｅａｓｕｒｅｍｅｎｔ  Ｃｏｎｆｉｇｕｒａｔｉｏｎに含まれている場合には、明示的に「ＷＬＡＮオン」が要求されていなくても、自律的にＷＬＡＮ通信部１１２をオン状態に切り替えてもよい。
【０１２６】
ＡＰ３００に対する測定では、ＵＥ１００は、測定可能なＡＰ３００について無線環境を測定する。ＡＰ３００についての無線環境とは、例えばＡＰ３００から受信するＷＬＡＮ無線信号（例えばビーコン信号）の受信電力である。ＵＥ１００は、ＡＰ識別子がＭＤＴ設定パラメータに含まれている場合には、そのＡＰ識別子を対象として測定を行ってもよい。
【０１２７】
ステップＳ３０３において、ＵＥ１００は、測定結果（ＡＰ測定結果を含む）及び位置情報を含む測定報告を、ｅＮＢ２００に送信する。第３実施形態では、ＡＰ測定結果及び位置情報の組み合わせを「ＡＰ情報」という。また、ＡＰ測定結果と対応する位置情報を「ＡＰ位置情報」という。ｅＮＢ２００は、ＵＥ１００からの測定報告を受信する。
【０１２８】
（第３実施形態のまとめ）
第３実施形態では、接続状態にあるＵＥ１００は、ＡＰ位置情報を取得する。ＵＥ１００は、ＡＰ位置情報を保持することなくｅＮＢ２００に送信する。ｅＮＢ２００は、ＵＥ１００から送信されたＡＰ位置情報を取得する。従って、ＡＮＤＳＦサーバ７００が存在しない場合、又はＡＮＤＳＦサーバ７００とｅＮＢ２００との間にインターフェイスが存在しない場合でも、Ｉｍｍｅｄｉａｔｅ  ＭＤＴの機能を拡張して、ｅＮＢ２００がＡＰ３００の地理的位置を把握できる。
【０１２９】
［第３実施形態の変更例］
上述した第３実施形態では、ｅＮＢ２００は、ＵＥ１００から直接的にＡＰ情報を取得していたが、上述した第１実施形態と同様に、ＯＡＭサーバ６００からｅＮＢ２００にＡＰ情報を提供してもよい。具体的には、ＵＥ１００は、ＯＡＭサーバ６００に対して、ＡＰ情報を送信する。ｅＮＢ２００は、ＯＡＭサーバ６００からＡＰ情報を取得する。
【０１３０】
［第４実施形態］
第４実施形態について、上述した第１実施形態乃至第３実施形態との相違点を主として説明する。第４実施形態は、ＭＤＴを利用するのではなく、ＡＮＤＳＦを利用して、ｅＮＢ２００がＵＥ１００からＡＰ位置情報を取得する。尚、第４実施形態は、システム構成及び動作環境については第１実施形態と同様である。
【０１３１】
（第４実施形態に係る動作）
以下において、第４実施形態に係る動作について説明する。
【０１３２】
（１）ＡＮＤＳＦ
ここでは、一般的なＡＮＤＳＦについて説明する。ＡＮＤＳＦサーバ７００（図１参照）は、ＡＰ３００に関するＡＮＤＳＦ情報をＮＡＳメッセージによりＵＥ１００に提供する。ＡＮＤＳＦ情報は、ＡＰ識別子及びＡＰ位置情報の組み合わせを含む。
【０１３３】
ＵＥ１００は、ＡＮＤＳＦ情報に基づいてＡＰ発見処理を行うことにより、ＡＰ３００を効率的に発見できる。例えば、ＵＥ１００は、ＡＮＤＳＦ情報に含まれるＡＰ位置情報により示される地理的位置の近傍において、ＷＬＡＮ通信部１１２をオン状態に切り替える。そして、ＵＥ１００は、ＡＮＤＳＦ情報に含まれるＡＰ識別子を含んだビーコン信号を探索（スキャン）することにより、ＡＰ３００を発見する。
【０１３４】
（２）第４実施形態に係る動作シーケンス
図１１は、第４実施形態に係る動作シーケンス図である。ここでは、ＵＥ１００がＡＮＤＳＦをサポートする場合を想定する。
【０１３５】
図１１に示すように、ステップＳ４０１において、ＡＮＤＳＦサーバ７００は、ＡＰ３００に関するＡＮＤＳＦ情報をＮＡＳメッセージによりＵＥ１００に提供する。
【０１３６】
ステップＳ４０２において、ＵＥ１００は、ＡＮＤＳＦサーバ７００からのＡＮＤＳＦ情報を記憶する。
【０１３７】
ステップＳ４０３において、ｅＮＢ２００は、ＡＰ位置情報に関する問い合せ情報をＵＥ１００に送信する。問い合せ情報は、ＡＮＤＳＦをサポートする否か、又は、ＡＰ位置情報を含んだＡＮＤＳＦ情報を有しているか否かを問い合わせる情報である。
【０１３８】
或いは、問い合せ情報は、ｅＮＢ２００のカバレッジエリア内に設けられた特定のＡＰ３００のＡＰ位置情報を含んだＡＮＤＳＦ情報を有しているか否かを問い合わせる情報であってもよい。この場合、問い合せ情報は、特定のＡＰ３００のＡＰ識別子を含む。
【０１３９】
ステップＳ４０４において、問い合せ情報を受信したＵＥ１００は、問い合わせに対する返答をｅＮＢ２００に送信する。具体的には、ＵＥ１００は、ＡＮＤＳＦをサポートする否か、又は、ＡＰ位置情報を含んだＡＮＤＳＦ情報を有しているか否かを示す情報をｅＮＢ２００に送信する。
【０１４０】
ステップＳ４０３及びＳ４０４により、ｅＮＢ２００は、ＡＰ位置情報（ＡＮＤＳＦ情報）を取得可能なＵＥ１００であるか否かを判断できる。但し、ステップＳ４０３及びＳ４０４は必須ではなく、省略してもよい。
【０１４１】
ステップＳ４０５において、ｅＮＢ２００は、ＡＰ位置情報を含んだＡＮＤＳＦ情報の送信をＵＥ１００に対して要求する。ｅＮＢ２００は、自身のカバレッジエリア内に設けられた特定のＡＰ３００を対象として、ＡＰ位置情報（ＡＮＤＳＦ情報）の送信をＵＥ１００に要求してもよい。この場合、ｅＮＢ２００からの要求は、特定のＡＰ３００のＡＰ識別子を含む。
【０１４２】
ステップＳ４０６において、ＵＥ１００は、ｅＮＢ２００からの要求に応じて、ＡＰ位置情報（ＡＮＤＳＦ情報）をｅＮＢ２００に送信する。ｅＮＢ２００からの要求に特定のＡＰ３００のＡＰ識別子が含まれている場合には、ＵＥ１００は、そのＡＰ識別子に対応するＡＰ位置情報（ＡＮＤＳＦ情報）をｅＮＢ２００に送信する。或いは、ＡＮＤＳＦ情報が広範囲に渡るエリア内の各ＡＰ３００の情報を含む場合には、ＵＥ１００は、自身の周辺（現在位置から所定範囲内）のＡＰ３００に限定して、ＡＰ位置情報（ＡＮＤＳＦ情報）をｅＮＢ２００に送信してもよい。
【０１４３】
（第４実施形態のまとめ）
第４実施形態では、ＡＮＤＳＦをサポートするＵＥ１００は、ＡＮＤＳＦサーバ７００から、ＡＰ位置情報を含んだＡＮＤＳＦ情報を取得する。ＵＥ１００は、ｅＮＢ２００からの要求に応じて、ＡＮＤＳＦ情報に含まれるＡＰ位置情報をｅＮＢ２００に送信する。ｅＮＢ２００は、ＵＥ１００から送信されたＡＰ位置情報を取得する。従って、ＡＮＤＳＦサーバ７００とｅＮＢ２００との間にインターフェイスが存在しない場合でも、ｅＮＢ２００がＡＰ３００の地理的位置を把握できる。
【０１４４】
［第５実施形態］
第５実施形態について、上述した第１実施形態乃至第４実施形態との相違点を主として説明する。第５実施形態は、ＭＤＴ又はＡＮＤＳＦを利用するのではなく、ＡＰホワイトリストを利用して、ｅＮＢ２００がＵＥ１００からＡＰ位置情報を取得する。尚、第５実施形態は、システム構成及び動作環境については第１実施形態と同様である。
【０１４５】
（第５実施形態に係る動作）
以下において、第５実施形態に係る動作について説明する。
【０１４６】
（１）ＡＰホワイトリスト
第５実施形態に係るＡＰホワイトリストについて説明する。第５実施形態では、ＵＥ１００は、自身がアクセス権を持つＡＰ３００（Ｏｐｅｒａｔｏｒ  ｃｏｎｔｒｏｌｌｅｄ  ＡＰなど）に関するリストであるＡＰホワイトリストを記憶及び管理する。ＡＰホワイトリストは、ＡＰ３００のＡＰ識別子と、そのＡＰ３００のＡＰ位置情報と、を含む。
【０１４７】
ＡＰホワイトリストは、ＵＥ１００が自律的に更新する場合と、セルラネットワークがＵＥ１００に設定する場合と、これを組み合わせた場合とがある。
【０１４８】
ＵＥ１００がＡＰホワイトリストを自律的に更新する場合、ＵＥ１００は、ＡＰ３００に接続した後、ＡＰ３００がＯｐｅｒａｔｏｒ  ｃｏｎｔｒｏｌｌｅｄ  ＡＰである旨をＡＰ３００から通知された場合に、ＡＰホワイトリストを更新する。
【０１４９】
これに対し、セルラネットワークがＵＥ１００にＡＰホワイトリストを設定する場合、ＵＥ１００は、セルラネットワークからＡＰホワイトリストを受信して記憶する。この場合、ＡＰホワイトリストは、ｅＮＢ２００単位（或いはセル単位）で管理されてもよく、トラッキングエリア単位で管理されてもよい。
【０１５０】
例えば、ＵＥ１００は、ＡＰホワイトリストに含まれるＡＰ位置情報により示される地理的位置の近傍において、ＷＬＡＮ通信部１１２をオン状態に切り替える。そして、ＵＥ１００は、ＡＰホワイトリストに含まれるＡＰ識別子を含んだビーコン信号を探索（スキャン）することにより、ＡＰ３００を発見する。
【０１５１】
（２）第５実施形態に係る動作シーケンス
図１２は、第５実施形態に係る動作シーケンス図である。
【０１５２】
図１２に示すように、ステップＳ５０１において、ＵＥ１００は、ＡＰホワイトリストを管理する。
【０１５３】
ステップＳ５０２において、ｅＮＢ２００は、ＡＰ位置情報に関する問い合せ情報をＵＥ１００に送信する。問い合せ情報は、ＡＰ位置情報を含んだＡＰホワイトリストを有しているか否かを問い合わせる情報である。
【０１５４】
或いは、問い合せ情報は、ｅＮＢ２００のカバレッジエリア内に設けられた特定のＡＰ３００のＡＰ位置情報を含んだＡＰホワイトリストを有しているか否かを問い合わせる情報であってもよい。この場合、問い合せ情報は、特定のＡＰ３００のＡＰ識別子を含む。
【０１５５】
ステップＳ５０３において、問い合せ情報を受信したＵＥ１００は、問い合わせに対する返答をｅＮＢ２００に送信する。具体的には、ＵＥ１００は、ＡＰ位置情報を含んだＡＰホワイトリストを有しているか否かを示す情報をｅＮＢ２００に送信する。
【０１５６】
ステップＳ５０２及びＳ５０３により、ｅＮＢ２００は、ＡＰ位置情報（ＡＰホワイトリスト）を取得可能なＵＥ１００であるか否かを判断できる。但し、ステップＳ５０２及びＳ５０３は必須ではなく、省略してもよい。
【０１５７】
ステップＳ５０４において、ｅＮＢ２００は、ＡＰ位置情報を含んだＡＰホワイトリストの送信をＵＥ１００に対して要求する。ｅＮＢ２００は、自身のカバレッジエリア内に設けられた特定のＡＰ３００を対象として、ＡＰ位置情報（ＡＰホワイトリスト）の送信をＵＥ１００に要求してもよい。この場合、ｅＮＢ２００からの要求は、特定のＡＰ３００のＡＰ識別子を含む。
【０１５８】
ステップＳ５０５において、ＵＥ１００は、ｅＮＢ２００からの要求に応じて、ＡＰ位置情報（ＡＰホワイトリスト）をｅＮＢ２００に送信する。ｅＮＢ２００からの要求に特定のＡＰ３００のＡＰ識別子が含まれている場合には、ＵＥ１００は、そのＡＰ識別子に対応するＡＰ位置情報（ＡＰホワイトリスト）をｅＮＢ２００に送信する。或いは、ＡＰホワイトリストが広範囲に渡るエリア内の各ＡＰ３００の情報を含む場合には、ＵＥ１００は、自身の周辺（現在位置から所定範囲内）のＡＰ３００に限定して、ＡＰ位置情報（ＡＮＤＳＦ情報）をｅＮＢ２００に送信してもよい。
【０１５９】
（第５実施形態のまとめ）
第５実施形態では、ＵＥ１００は、自身がアクセス権を持つＡＰ３００に対応するＡＰ位置情報を取得し、ＡＰ位置情報を含んだＡＰホワイトリストを管理する。ＵＥ１００は、ｅＮＢ２００からの要求に応じて、ＡＰホワイトリストに含まれるＡＰ位置情報をｅＮＢ２００に送信する。ｅＮＢ２００は、ＵＥ１００から送信されたＡＰ位置情報を取得する。従って、ＡＮＤＳＦサーバ７００が存在しない場合、又はＡＮＤＳＦサーバ７００とｅＮＢ２００との間にインターフェイスが存在しない場合でも、ｅＮＢ２００がＡＰ３００の地理的位置を把握できる。
【０１６０】
［第５実施形態の変更例］
上述した第５実施形態では、ｅＮＢ２００は、ＵＥ１００から直接的にＡＰ情報を取得していたが、上述した第１実施形態と同様に、ＯＡＭサーバ６００からｅＮＢ２００にＡＰ情報を提供してもよい。具体的には、ＵＥ１００は、ＯＡＭサーバ６００に対して、ＡＰ情報を送信する。ｅＮＢ２００は、ＯＡＭサーバ６００からＡＰ情報を取得する。
【０１６１】
［その他の実施形態］
上述した第１実施形態乃至第５実施形態は、別個独立して実施する場合に限らず、相互に組み合わせて実施してもよい。
【０１６２】
上述した第１実施形態、第２実施形態の変更例１、第３実施形態の変更例、第５実施形態の変更例では、ＯＡＭサーバ６００は、複数のＵＥ１００から(及び複数の手法で)取得した情報をもとに、統計的に確からしいと思われるＡＰ３００の位置情報を算出しても良い。
【０１６３】
上述した第１実施形態乃至第５実施形態では、ＡＰ位置情報の詳細について特に触れなかったが、ＡＰ３００はＡＰ３００の地理的な位置を示す情報であって、例えばＡＰ３００の経度及び緯度を示す情報である。但し、ＡＰ３００が同一ビルの異なるフロアに複数設けられるような場合も考慮し、ＡＰ３００の経度及び緯度に加えて、ＡＰ３００の高度もＡＰ位置情報に含めてもよい。
【０１６４】
上述した第１実施形態乃至第５実施形態では、ｅＮＢ２００におけるＡＰ位置情報の利用例について特に触れなかったが、例えば以下の利用例がある。
【０１６５】
ｅＮＢ２００は、取得したＡＰ位置情報に基づいて、ＡＰ３００を効率的に発見するためのＲＡＮレベル補助情報（ＲＡＮ  ｌｅｖｅｌ  ＷＬＡＮ  ｄｉｓｃｏｖｅｒｙ  ａｓｓｉｓｔａｎｃｅ  ｉｎｆｏｒｍａｔｉｏｎ）を管理する。
【０１６６】
そして、ｅＮＢ２００は、ＲＡＮレベル補助情報をブロードキャストでＵＥ１００に送信する。これにより、ｅＮＢ２００のカバレッジエリア内の各ＵＥ１００は、ＡＮＤＳＦを利用できない場合でも、ＲＡＮレベル補助情報に基づいてＡＰ発見処理を行うことにより、ＡＰ３００を効率的に発見できる。
【０１６７】
ＲＡＮレベル補助情報は、接続状態のＵＥ１００だけでなく、アイドル状態のＵＥ１００も受信することが好ましいため、システム情報ブロック（ＳＩＢ）の一部とする。ｅＮＢ２００が送信するＲＡＮレベル補助情報は、そのｅＮＢ２００のカバレッジエリア内の各ＡＰ３００に関する情報を含む。例えば、ＲＡＮレベル補助情報は、ＡＰ３００の識別子、ＡＰ３００の位置情報、ＡＰ３００のチャンネル情報を含む。
【０１６８】
或いは、ｅＮＢ２００は、ＲＡＮレベル補助情報をユニキャストでＵＥ１００に送信してもよい。ＵＥ１００は、ＲＡＮレベル補助情報の送信を要求するための要求情報（以下、「ＲＡＮレベル補助情報要求」という）をｅＮＢ２００に送信する。尚、ＲＡＮレベル補助情報要求は、ＲＡＮレベル補助情報に対する興味を通知する興味通知と捉えることもできる。ＲＡＮレベル補助情報要求を受信したｅＮＢ２００は、ＲＡＮレベル補助情報をユニキャストでＵＥ１００に送信する。例えばＲＲＣメッセージによりＲＡＮレベル補助情報を送信することにより、ユニキャストでのＲＡＮレベル補助情報の送信を実現できる。
【０１６９】
上述した実施形態では、セルラ通信システムの一例としてＬＴＥシステムを説明したが、ＬＴＥシステムに限定されるものではなく、ＬＴＥシステム以外のシステムに本発明を適用してもよい。
【０１７０】
［相互参照］
米国仮出願第６１／８２５２６２（２０１３年５月２０日出願）の全内容が、参照により、本願明細書に組み込まれている。
【産業上の利用可能性】
【０１７１】
本発明は、移動通信分野において有用である。
【図１】
0006618801.tif 000002
【図２】
0006618801.tif 000003
【図３】
0006618801.tif 000004
【図４】
0006618801.tif 000005
【図５】
0006618801.tif 000006
【図６】
0006618801.tif 000007
【図７】
0006618801.tif 000008
【図８】
0006618801.tif 000009
【図９】
0006618801.tif 000010
【図１０】
0006618801.tif 000011
【図１１】
0006618801.tif 000012
【図１２】
0006618801.tif 000013